(57)【要約】【課題】  この考案は、ラック区画の使用状況（どの区画に何が収容され、空き区画がどこにあるか等）の確認を、低コストで容易に行うことができるラック区画使用状況管理具を得ることを課題とする。【解決手段】  この考案は、上下左右方向にそれぞれ複数区画されたラック１の使用状況を管理するためのラック区画使用状況管理具であって、前記ラック１の全区画の番地が一覧表示されたラック区画表示板２と、前記ラック１の一区画に収容される収容物Ｐの識別情報が記載された収容物識別票４と、前記ラックの一区画の番地が表示され、前記収容物識別票４を保持可能な番地クリップ３と、を備えるとともに、前記ラック１の支柱１１の高さ２００ｃｍ以下の位置には、前記支柱１１の両側に隣接するラック区画の番地が表示され、前記収容物識別票４を保持した状態の番地クリップ３を掲示可能な領域を有する番地クリップ掲示部１１１を設けて構成する。【選択図】  図１
0003219571.tif 000002
【実用新案登録請求の範囲】
【請求項１】
上下左右方向にそれぞれ複数区画されたラックの使用状況を管理するためのラック区画使用状況管理具であって、
前記ラックの全区画の番地が一覧表示されたラック区画表示板と、
前記ラックの一区画に収容される収容物の識別情報が記載された収容物識別票と、
前記ラックの一区画の番地が表示され、前記収容物識別票を保持可能な番地クリップと、
を備えるとともに、
前記ラックの支柱の高さ２００ｃｍ以下の位置には、前記支柱の両側に隣接するラック区画の番地が表示され、前記収容物識別票を保持した状態の番地クリップを掲示可能な領域を有する番地クリップ掲示部を設けた、
ラック区画使用状況管理具。
【請求項２】
番地クリップ及び収容物識別票は、ラックの支柱幅に収まる幅とした、請求項１記載のラック区画使用状況管理具。
【請求項３】
番地クリップにはマグネット式クリップを用い、
ラック区画表示板及び番地クリップ掲示部は着磁性素材で構成した、
請求項１又は２記載のラック区画使用状況管理具。
【請求項４】
収容物識別票には、ロット番号が消去可能に記載された、
請求項１ないし３の何れか記載のラック区画使用状況管理具。
【請求項５】
ラック区画表示板におけるラック区画の番地表示領域と、番地クリップ掲示部におけるラック区画の番地表示領域と、番地クリップにおけるラック区画の番地表示領域は、それぞれラック区画の段毎に同色に色分けされて着色された、
請求項１ないし４の何れか記載のラック区画使用状況管理具。
【考案の詳細な説明】
【技術分野】
【０００１】
この考案は、上下左右方向にそれぞれ複数区画されたラックの使用状況を管理するためのラック区画使用状況管理具に関するものである。
【背景技術】
【０００２】
ラック倉庫などで用いられるパレットラックなどのラック（棚）は、倉庫内の空間を効率的に利用するために、上下左右方向にそれぞれ多数区画されているのが一般的である。
例えば、パレットラックにあっては、前後及び左右方向に所定間隔を介して多数配設された支柱に、水平支持材を上下方向に所定間隔を介して多数架設した多段ラックとして構成されており、収納物が積載されたパレットをフォークリフトで水平支持材上に搬入格納するようになっている。
また、パレットラックには、倉庫の保管効率をより向上させるために、電動台車上に設置して移動可能としたものもある（移動式ラックにあっては、パレットラックを移動させることができるので、パレットラック毎にフォークリフトの作業用通路を設けておく必要がなく、倉庫内の空間を一層効率的に利用することで保管効率を向上することができる。）。
【０００３】
ところで、上下左右方向に多数区画されたラックを効率的に利用するためには、区画の使用状況（どの区画に何が収容され、空き区画がどこにあるか等）を管理する必要がある。
ところが、ラック区画の使用状況は作業者の記憶に頼っている部分が多く、どこの区画に製品や仕掛品等の収容物を収容してよいか、特定の作業者以外の者には分かりにくい。特に、移動式ラックの場合には、パレットラックの列の間に通路がない状態（すなわち、隙間なくパレットラックが並んでいる状態）となっている場合も多く、収容物が収容されたパレットラックによって他のパレットラックの空き区画が隠されてしまい、空き区画がどこにあるのか外部からは視認できなくなってしまうこともある。
【０００４】
この点、ラック区画の使用状況をパソコンに入力して管理する方法が考えられるが、この場合、パソコンの入力作業が必要となるだけでなく、ラック区画の使用状況をパソコンで確認しなければならず、パソコンが苦手な者には利用しづらいという問題がある。また、ラックへの入出庫管理を全て自動で行う自動倉庫を用いる方法もあるが、導入コストが大きいため、簡単に利用することができない。
【０００５】
さらに、倉庫における定期的な業務として棚卸し業務がある。パレットラックに収容物を収容する際には、パレット単位でラックの１区画に収容するのが一般的であり、１区画に収容される収容物には、１パレット毎に収容物の品名、ロット番号、製造日等の識別情報が表示されており、棚卸しの際には、この識別情報を確認することにより棚卸し作業を行っている。
【０００６】
ところが、ラックの高さは数ｍにも及ぶため、棚卸しを行う際、ラックの上部区画に収容されている収容物のロット番号等の情報を視認しにくく、棚卸し作業に時間がかかるという問題もある。
【０００７】
この点、特開平８−１２０１６号公報には、複数の荷物の収納部を有する棚と、キャレッジ（昇降体）を昇降動させて棚の収納部との間で荷物の入出庫を行う出し入れ装置を備えた自動倉庫において、画面表示手段を設けるとともに、収納部の荷物の有無を確認する検出手段を備えたキャレッジを昇降動させて収納部の荷物の有無を検出し、検出された収納部の荷物の有無を予め設定されたフォーマットに従って前記画面表示手段に出力するようにした自動倉庫が提案されている。この考案によれば、棚の各収納部の荷物の有無がキャレッジに設けられた検出手段によって検出されてキャレッジの画面表示手段に表示されるので、作業員はキャレッジの画面表示手段の表示を確認することで、棚の各収納部に荷物が収納されているか否かを確認することができる。
しかしながら、この考案を用いようとする場合、コストのかかる自動倉庫を導入する必要があり、現在倉庫で使用している既存の棚（ラック）に適用することができない。
【特許文献１】特開２０１８−１４４９３５号公報
【考案の開示】
【考案が解決しようとする課題】
【０００８】
この考案は、ラック区画の使用状況（どの区画に何が収容され、空き区画がどこにあるか等）の確認を、低コストで容易に行うことができるラック区画使用状況管理具を得ることを課題とする。
【課題を解決するための手段】
【０００９】
この考案は、上下左右方向にそれぞれ複数区画されたラックの使用状況を管理するためのラック区画使用状況管理具であって、前記ラックの全区画の番地が一覧表示されたラック区画表示板と、前記ラックの一区画に収容される収容物の識別情報が記載された収容物識別票と、前記ラックの一区画の番地が表示され、前記収容物識別票を保持可能な番地クリップと、を備えるとともに、前記ラックの支柱の高さ２００ｃｍ以下の位置には、前記支柱の両側に隣接するラック区画の番地が表示され、前記収容物識別票を保持した状態の番地クリップを掲示可能な領域を有する番地クリップ掲示部を設けて構成する。
【００１０】
請求項２の考案は、前記番地クリップ及び収容物識別票は、前記ラックの支柱幅に収まる幅としたことを特徴とする。
【００１１】
請求項３の考案は、前記番地クリップにはマグネット式クリップを用い、前記ラック区画表示板及び前記番地クリップ掲示部は、何れも着磁性素材で構成したことを特徴とする。
【００１２】
請求項４の考案は、前記収容物識別票には、ロット番号を消去可能に記載したことを特徴とする。
【００１３】
請求項５の考案は、前記ラック区画表示板におけるラック区画の番地表示領域と、前記番地クリップ掲示部におけるラック区画の番地表示領域と、前記番地クリップにおけるラック区画の番地表示領域は、それぞれラック区画の段毎に同色に色分けして着色したことを特徴とする。
【考案の効果】
【００１４】
この考案によれば、上下左右方向にそれぞれ複数区画されたラックの使用状況を管理するためのラック区画使用状況管理具であって、前記ラックの全区画の番地が一覧表示されたラック区画表示板と、前記ラックの一区画に収容される収容物の識別情報が記載された収容物識別票と、前記ラックの一区画の番地が表示され、前記収容物識別票を保持可能な番地クリップと、を備えるとともに、前記ラックの支柱の高さ２００ｃｍ以下の位置には、前記支柱の両側に隣接するラック区画の番地が表示され、前記収容物識別票を保持した状態の番地クリップを掲示可能な領域を有する番地クリップ掲示部を設けて構成したので、ラック区画が空き状態の時には、当該空き区画の番地が表示された番地クリップを、ラック区画表示板の該当するラック区画が表示された領域に掲示しておくことにより、ラック区画の空き状況をラック区画表示板で容易に確認することができる。他方、ラック区画を使用する時には、当該使用区画の番地が表示された番地クリップをラック区画表示板から取り外し、当該使用区画に収容する収容物の収容物識別票を挟んだ状態で当該使用区画の番地が表示されたラック支柱の番地クリップ掲示部に掲示しておくことにより、ラック区画の使用状況をラック区画表示板で容易に確認することができる。そして、棚卸し時には、高さ２００ｃｍ以下の範囲に設けられた番地クリップ掲示部に掲示された番地クリップに表示されているラック区画の番地と、この番地クリップに保持されている収容物識別票とを確認することにより、容易に棚卸し作業を行うことができる。
【００１５】
請求項２の考案によれば、前記番地クリップ及び収容物識別票は、前記ラックの支柱幅に収まる幅としたので、ラック区画内に収容物の出し入れを行う際に、これらが邪魔になることはない。
【００１６】
請求項３の考案によれば、前記番地クリップにはマグネット式クリップを用い、前記ラック区画表示板及び前記番地クリップ掲示部は、何れも着磁性素材で構成したので、番地クリップのラック区画表示板及び番地クリップ掲示部への着脱を容易に行うことができる。
【００１７】
請求項４の考案によれば、前記収容物識別票には、前記ロット番号を消去可能に記載したので、ラック区画に収容する収容物に応じてロット番号を書き替えることができ、収容物識別票を再利用することができる。
【００１８】
請求項５の考案によれば、前記ラック区画表示板におけるラック区画の番地表示領域と、前記番地クリップ掲示部におけるラック区画の番地表示領域と、前記番地クリップにおけるラック区画の番地表示領域は、それぞれラック区画の段毎に同色に色分けして着色したので、ラック区画が多数あった場合でも、ラック区画の段毎に識別しやすく、番地クリップを掲示する際に誤った箇所に掲示してしまうことを防止することができる。
【図面の簡単な説明】
【００１９】
【図１】この考案の概要を示す図
【図２】同じく倉庫内のラックの配置例を示す平面図
【図３】同じくラックの概要を示す図
【図４】同じくラックの支柱に設けられた番地クリップ掲示部の概要を示す図
【図５】同じくラック区画表示板の概要を示す図
【図６】同じく番地クリップの概要を示す図
【図７】同じくロット番号票の概要を示す図
【図８】同じくラックの使用状態を示す図
【図９】同じくラックの支柱に設けられた番地クリップ掲示部の使用状態を示す図
【図１０】同じくラック区画表示板の使用状態を示す図
【考案を実施するための形態】
【００２０】
図１は、この考案のラック区画使用状況管理具の概要を示す図である。
この考案のラック区画使用状況管理具は、上下左右方向にそれぞれ複数区画されたラック１の支柱１１に設けられた番地クリップ掲示部１１１と、ラック１の全区画の番地が一覧表示されたラック区画表示板２と、ラック１の各区画の番地が表示された番地クリップ３と、ラック１に収容される収容物のロット番号等の識別情報が記載された収容物識別票４とを備えている。
そして、ラック１の区画に収容物Ｐが収容されていない状況（空き状況）の時には、当該空き区画の番地が表示された番地クリップ３をラック区画表示板２の該当箇所に掲示し、他方、空き区画に収容物Ｐを収容する際には、当該収容物Ｐを収容する区画の番地クリップ３をラック区画表示板２から取り外し、収容物Ｐのロット番号等の識別情報が記載された収容物識別票４を挟んで、当該収容物Ｐを収容する区画の番地が表示された番地クリップ掲示部１１１に収容物識別票４とともに掲示する。
これにより、ラック１の使用状況をラック表示板２を確認することで容易に把握でき、また、棚卸しの際には、ラック１の支柱１１に設けられた番地クリップ掲示部１１１に掲示されている収容物識別票４を見ることにより、各区画に収容されている収容物のロット番号等の識別情報を確認することができる。
以下、この考案のラック区画使用状況管理具の詳細について、構成部位毎に具体的に説明する。
【００２１】
＜ラック＞
図２は、倉庫内のラックの配置を平面図により示したものである。
倉庫内には、移動式のパレットラック１が、ＡエリアとＢエリアの二つのエリアに分かれて配置されている。各エリアにおけるパレットラック１はそれぞれ５列ずつ設置されており、Ａエリアの第２，３列、第４，５列、Ｂエリアの第７，８列、第９，１０列は、何れも荷物を出し入れする側を前面側にして背中合わせに一体化した状態で設置されている。また、倉庫の床にはレールＲが５本埋設されており、このレールＲ上に車輪を介してパレットラック１がレールＲに沿って移動可能に設置されている。
なお、Ａエリアのパレットラック１は、第１列、第２，３列、第４，５列を均等に散開した状態、Ｂエリアのパレットラック１は、第７，８列を第６列側に、第９，１０列を第６列側と反対側にそれぞれ移動させて第８列と第９列との間のスペースを拡げ、フォークリフトによる第８列及び第９列への荷物の出し入れを可能とした状態を示している。また、各パレットラック１は水平方向に８区画されている。
【００２２】
図３は、第１列のパレットラック１の概要を示す正面図である。他の列のパレットラックも列番号を除いて第１列のパレットラックと同様の構成となるので、第１列のパレットラックを代表例として説明する。
【００２３】
パレットラック１は、前後及び左右方向に所定間隔を介して多数配設されたスチール製の支柱１１に、同じくスチール製の水平支持材１２を上下方向に所定間隔を介して多数架設し、高さ約５ｍ、幅約９ｍ、奥行き約１．２ｍの３段ラックとして構成されている。パレットラック１の支柱１１の間に形成される空間Ｓは、標準的なパレット（１１００ｍｍ×１１００ｍｍ）を二つ水平方向に収容できるサイズとなっており、このパレットラック１にあっては、左右方向に８つ、上下方向に３つのパレットを収容できるようになっている。このように、パレットを一つ収容できる空間Ｓが、パレットラック１における１区画である。したがって、パレットラック１は、左右方向に８区画、上下方向に３区画、合計２４区画を備えている。
なお、図面の各空間Ｓ内に表された「１−３−１」のような番号は、各区画の番地を示したものであり、最初の「１」はパレットラック１の列番号を、２番目の「３」は段数を、３番目の「１」は左右方向の区画をそれぞれ意味し、「１−３−１」の例の場合、「第１列目パレットラックの３段目第１区画」を表している。
【００２４】
パレットラック１の正面側の各支柱１１の高さ２ｍ以下の範囲の位置には、その支柱１１の両側に隣接する空間Ｓの区画番地が表示され、後述する収容物識別票４を挟んだ番地クリップ３を掲示するための番地クリップ掲示部１１１が設けられている。
【００２５】
図４は、支柱１１に設けられた番地クリップ掲示部１１１の拡大図である。
この番地クリップ掲示部１１１は、その支柱１１の右側に隣接する３つの上下方向の空間Ｓの区画を上側（符号１１１Ｒ）に、左側に隣接する３つの上下方向の空間の区画を下側（符号１１１Ｌ）に配置して設けられており、それぞれ上下方向の３つの空間の区画番地が上から順に表示されている。そして、番地クリップ３を掲示する際に掲示位置を間違えることがないよう、各区画番地が表示された領域の上部には、区画Ｓの段数と方向が段数毎に色分けして着色した領域内に明示してある。この実施例おいては、最上段である３段目は黄色に、２段目は青色に、最下段である１段目は白色にそれぞれ着色してあり、区画の方向は、右側の場合には段数表示の右側に右矢印で、左側の場合には段数表示の左側に左矢印で、それぞれ表示されている。また、支柱の幅は約７０ｍｍである。
【００２６】
＜ラック区画表示板＞
図５は、図２に示すように、Ａエリアに第１〜５列が、Ｂエリアに第６〜１０列が配置されたパレットラック１の全区画の区画番地が一覧表示されたラック区画表示板２である。
【００２７】
ラック区画表示板２は、スチール板などの着磁性素材で構成されており、その表面には、パレットラック１が配設されたエリア毎に、各パレットラック１の区画の全番地が表形式で一覧表示されている。すなわち、ラック区画表示板２の左側半分はＡエリアに配置されたパレットラック１の区画番地が、右側半分にはＢエリアに配置されたパレットラック１の区画番地が、それぞれエリア表示部２１に表示されたエリア表示の下に表示されている。そして、各エリアに配置されたパレットラック１の列番号を表示するための列番号表示部２２が左側に設けられ、この列番号表示部２２に各パレットラック１の列番号が表示されるとともに、各列毎に上下３段、８区画ずつ番地表示部２３が設けられ、この番地表示部２３に各列毎の区画番地が「１−３−１」のように「列番号−段番号−区画番号」の順で表示されている。
また、パレットラック１の各区画番地が表示される番地表示部２３は、後述する番地クリップ３をその領域内に掲示することが可能なサイズとしてある。
さらに、この番地表示部２３は段番号毎に異なる色で着色されており、この実施例においては、パレットラック１の支柱１１に設けられた番地クリップ掲示部１１１における配色と一致するよう、最上段である３段目は黄色に、２段目は青色に、最下段である１段目は白色にそれぞれ着色されている。
【００２８】
＜番地クリップ＞
図６は、番地クリップ３の概要を示す図である。
番地クリップ３は、背面側にマグネットを備え、スチール板等の着磁性素材に容易に着脱可能なマグネットクリップを用いて構成されており、表面側にはパレットラック１における各空間Ｓの区画番地が「１−３−６」（列番号−段番号−区画番号）のように表示されている。また、区画番地表示３１の上方には、段番号表示３２及び方向表示３３と、エリア表示３４も併せて表示されている。
さらには、番地クリップ３の表面側は、段番号毎に異なる色で着色されており、この実施例においては、番地クリップ掲示部１１１における配色及びラック区画表示板２における配色と一致するよう、最上段である３段目用の番地クリップは黄色に（図６（Ａ））、２段目用のものは青色に（図６（Ｂ））、最下段である１段目用のものは白色に（図６（Ｃ））、それぞれ着色されている。
【００２９】
＜収容物識別票＞
図７は、パレットラック１に収容される収容物の識別情報を表示するための収容物識別票４の概要を示す図である。
この実施例において、収容物識別票４はロット番号票として構成されている。収容物識別票４は、幅６ｃｍ程度、高さ１０ｃｍ程度の紙の表面に、収容物の品名が記載される品名欄４１と、当該収容物の製造日が記載される製造日欄４２と、当該収容物のロット番号が記載されるロット番号欄４３とを設けて、各欄の具体的記載はしない状態で透明樹脂シート４４に挟み込んでラミネート加工して形成されている。ラミネート加工により収容物識別票４を形成することにより、収容品の品名や製造日、ロット番号などの具体的な情報は使用時に記載し、不使用時には消去することで、これを再利用することが可能となる。
【００３０】
＜使用方法＞
図８ないし図１０は、この考案のラック区画使用状況管理具の使用方法を説明するための図である。
【００３１】
図８は、第１列のパレットラック１の複数区画に収容物Ｐを収容した状態を示す図である。
パレットラック１は、図８に示すように、３段目は第３，４，６，８区画が、２段目は第１，３，６，８区画が、１段目は第１，２，５，６区画がぞれぞれ空き区画となっており、その他の区画には収容物Ｐが収容されて使用中の状態となっている。
【００３２】
このとき、パレットラック１の支柱１１に設けられた番地クリップ掲示部１１１には、収容物Ｐのロット番号等が記載された収容物識別票４が、当該収容物Ｐが収容された区画に対応する区画番地が表示された番地クリップ３に挟まれた状態で、当該番地クリップ３に表示された区画番地と一致する区画番地が表示された番地クリップ掲示部１１１に掲示されている。
【００３３】
この状態の代表例を、図８の破線楕円部分を拡大した図９により説明すると、この支柱１１の右側に隣接する上下３区画のうち３段目と２段目が空き区画で、１段目が使用中の区画になっているため、右側の区画を担当する番地クリップ掲示部１１１Ｒの１段目の領域に、「１−１−３」番地に収容された収容物Ｐの品名、製造日、ロット番号等が記載された収容物識別票４が、「１−１−３」番地が表示された番地クリップ３に挟まれた状態で掲示されている。他方、番地クリップ掲示部１１１Ｒの２段目、３段目の領域には何も掲示されていない。
また、この支柱１１の左側に隣接する上下３区画については３段目と２段目が使用中の区画で、１段目が空き区画となっているため、左側の区画を担当する番地クリップ掲示部１１１Ｌの３段目の領域に、「１−３−２」番地に収容された収容物Ｐの品名、製造日、ロット番号等が記載された収容物識別票４が、「１−３−２」番地が表示された番地クリップ３に挟まれた状態で、番地クリップ掲示部１１１Ｌの２段目の領域に、「１−２−２」番地に収容された収容物Ｐの品名、製造日、ロット番号等が記載された収容物識別票４が、「１−２−２」番地が表示された番地クリップ３に挟まれた状態でそれぞれ掲示されている。他方、番地クリップ掲示部１１１Ｌの１段目の領域には何も掲示されていない。
【００３４】
これにより、作業者は、支柱１１に設けられた番地クリップ掲示部１１１を確認することで、パレットラック１の「１−１−３」番地、「１−３−２」番地、「１−２−２」番地の各区画に収容物Ｐが収容されていることが確認できるとともに、当該各区画に収容されている収容物Ｐのロット番号等の識別情報を確認することができる。ここで、この番地クリップ掲示部１１１は作業者の目の届く範囲の高さである２ｍ以下の範囲に設けられているので、２段目、３段目の区画に収容された収容物Ｐに表示されているロット番号等の識別情報が見えなくても、番地クリップ掲示部１１１に番地クリップ３によって掲示されている収容物識別情報４を見ることにより、棚卸し作業を容易に行うことができる。
【００３５】
図１０は、ラック区画表示板２により、図２のように配置されたパレットラック１の使用状況を示した図である。図１０における第１列のパレットラック１の使用状況は、第８図に示した第１列のパレットラック１の使用状況を示しているので、第１列のパレットラック１の使用状況を代表例として説明する。
【００３６】
Ａエリアに配置された第１列のパレットラック１は、図８に示すように、３段目は第３，４，６，８区画が、２段目は第１，３，６，８区画が、１段目は第１，２，５，６区画がぞれぞれ空き区画となっており、その他の区画には収容物Ｐが収容された状態となっている。このため、各区画番地が表示されたラック区画表示板２の番地表示部２３には、空き区画の番地が表示された番地クリップ３が、それぞれ対応する区画番地が表示された番地表示部２３に掲示されている。すなわち、ラック区画表示板２における第１列パレットラックの区画表を見ると、３段目（黄色表示）は「１−３−３」番地、「１−３−４」番地、「１−３−６」番地、「１−３−８」番地に、２段目（青色表示）は「１−２−１」番地、「１−２−３」番地、「１−２−６」番地、「１−２−８」番地に、１段目（白色表示）は「１−１−１」番地、「１−１−２」番地、「１−１−５」番地、「１−１−６」番地に、それぞれ対応する区画番地が表示された番地クリップ３が掲示されているので、これらの番地の区画は空き区画であることが確認できる。他方、番地クリップ３が掲示されていない番地の区画については、使用状態であることが確認できる。
【００３７】
また、ラック区画表示板２を見ると、第１列以外のパレットラックにあっても、番地クリップ３が掲示されていない番地の区画については使用中であり、番地クリップ３が掲示されている番地の区画については空き状況であることが、一目で確認できる。また、Ｂエリアに配置されたパレットラック１にあっては、第６〜９列のパレットラックは全区画使用中であり、第１０列のパレットラックは全区画が空き状態であることが分かる。
【産業上の利用可能性】
【００３８】
この考案は、上下左右方向にそれぞれ複数区画されたラックの使用状況を管理するためのラック区画使用状況管理具に関するものであり、産業上の利用可能性を有するものである。
【符号の説明】
【００３９】
１  ラック（パレットラック）
１１  支柱
１１１，１１１Ｒ，１１１Ｌ  番地クリップ掲示部
１２  水平支持材
２  ラック区画表示板
２１  エリア表示部
２２  列番号表示部
２３  番地表示部
３  番地クリップ
３１  番地表示
３２  段番号表示
３３  方向表示
３４  エリア表示
４  収容物識別票
４１  品名表示欄
４２  製造日表示欄
４３  ロット番号表示欄
４４  透明樹脂シート
【図１】
0003219571.tif 000003
【図２】
0003219571.tif 000004
【図３】
0003219571.tif 000005
【図４】
0003219571.tif 000006
【図５】
0003219571.tif 000007
【図６】
0003219571.tif 000008
【図７】
0003219571.tif 000009
【図８】
0003219571.tif 000010
【図９】
0003219571.tif 000011
【図１０】
0003219571.tif 000012